(57)【要約】【課題】端部に形成された溝が塞がれた状態を確実に維持する。【解決手段】パネル体１１は、パネル状の基材１２と、基材１２の外周端部に沿って設けられ、基材１２の内方に向けて凹んだ溝２５と、溝２５に嵌め込まれ、オプション部材が装着可能なオプション取付部材３０Ｓと、溝２５の底部２１ｅから突出して設けられた係合突起７０と、オプション取付部材３０Ｓに形成され、係合突起７０に係合可能な係合爪８０と、を備えている。【選択図】図４
2015143438.tif 000002
【特許請求の範囲】
【請求項１】
パネル状の基材と、
前記基材の外周端部に沿って設けられ、該基材の内方に向けて凹んだ溝と、
前記溝に嵌め込まれた嵌合部材と、
前記溝の底部から突出して設けられた係合突起と、を備え、
前記嵌合部材には、前記係合突起に係合可能な係合爪が形成されていることを特徴とするパネル体。
【請求項２】
前記嵌合部材は、
前記溝の両側面に沿い、互いに平行に位置する側部プレート部と、
前記側部プレート部どうしを一体に連結する連結プレート部と、を備え、
前記係合爪は、それぞれの前記側部プレート部において前記溝の底部側に位置する先端部に形成され、
前記連結プレート部は、前記側部プレート部の前記先端部よりも前記溝の底部から離間した位置にオフセットして設けられていることを特徴とする請求項１に記載のパネル体。
【請求項３】
前記嵌合部材は、オプション部材が装着可能であることを特徴とする請求項２に記載のパネル体。
【請求項４】
前記嵌合部材は、前記連結プレート部よりも前記溝の底部から離間した側に、前記側部プレート部同士が互いに接近する方向に変形することを拘束する変形拘束部材をさらに備えていることを特徴とする請求項２または３に記載のパネル体。
【請求項５】
前記嵌合部材は、
前記側部プレート部において、前記連結プレート部よりも前記溝の底部から離間した側に、前記溝の内方に向けて突出する凸部が形成され、
前記変形拘束部材は、前記凸部と、前記側部プレート部と、前記連結プレート部とに囲まれて保持されるとともに、前記オプション部材を固定する固定部が形成されていることを特徴とする請求項４に記載のパネル体。
【請求項６】
前記係合突起は、前記溝が連続する方向に間隔をあけて複数個が設けられていることを特徴とする請求項１から５のいずれか一項に記載のパネル体。
【請求項７】
前記溝の底部に貫通孔が形成され、
前記係合突起は、前記貫通孔に係合する貫通孔係合爪と、
前記溝の底部から突出する突出部と、
前記突出部において、前記溝の底部から離間した側に形成されて外周側に張り出し、前記係合爪が係合する被係合部と、
を一体に備えることを特徴とする請求項１から６のいずれか一項に記載のパネル体。
【請求項８】
前記基材の少なくとも一面側を覆い、外周端部が前記基材の外周縁部で前記溝の内側に巻き込まれた表皮材をさらに備え、
前記嵌合部材は、前記溝内周面との間に前記表皮材を挟み込むことを特徴とする請求項１から７のいずれか一項に記載のパネル体。
【発明の詳細な説明】
【技術分野】
【０００１】
本発明は、間仕切り装置を構成するパネル体に関する。
【背景技術】
【０００２】
オフィスや公共施設、商業施設等の空間においては、施設内に形成された大空間の一部を小空間に区画することによって、空間利用における自由度を高めることが求められている。そこで、空間内に、間仕切り装置（パーティション）を設けることが広く行われている。間仕切り装置を設けることにより周囲からの視線や音をある程度遮ることができる。この間仕切り装置により空間の一部を仕切り、各執務者の固有スペースを設けたり、打合わせ等のためのスペースを設けることができる。
【０００３】
このような間仕切り装置は、特許文献１、２に開示されているように、芯材と、芯材の表面に設けられた表皮材と、これら芯材および表皮材の外周部に沿って設けられるフレームと、を備えている。
【０００４】
また、特許文献１に記載の軽量パネルでは、間仕切り装置の端部には、溝が形成されている。このパネル体の上部や側部に形成された溝には、溝を塞ぐクリップやジョイナ等が設けられている。
【先行技術文献】
【特許文献】
【０００５】
【特許文献１】特許第３０００２５２号公報
【特許文献２】特開平９−１７７２０９号公報
【発明の概要】
【発明が解決しようとする課題】
【０００６】
しかしながら、上記の特許文献１では、クリップやジョイナは、間仕切り装置の端部に形成された溝に単に嵌め込まれている。このため、これらの部材が外力等によって溝から不用意に抜けてしまうことがある。
そこでなされた本発明の目的は、端部に形成された溝が塞がれた状態を確実に維持することのできるパネル体を提供することである。
【課題を解決するための手段】
【０００７】
本発明は、上記課題を解決するため、以下の手段を採用する。
すなわち、本発明のパネル体は、パネル状の基材と、前記基材の外周端部に沿って設けられ、該基材の内方に向けて凹んだ溝と、前記溝に嵌め込まれた嵌合部材と、前記溝の底部から突出して設けられた係合突起と、を備え、前記嵌合部材には、前記係合突起に係合可能な係合爪が形成されていることを特徴とする。
このようなパネル体においては、嵌合部材が、基材の外周端部に沿って設けられた溝に嵌め込まれている。この嵌合部材の係合爪は、溝の底部の係合突起に係合されている。よって、嵌合部材が溝から抜け出ることが抑制される。
【０００８】
また、本発明のパネル体において、前記嵌合部材は、前記溝の両側面に沿い、互いに平行に位置する側部プレート部と、前記側部プレート部どうしを一体に連結する連結プレート部と、を備え、前記係合爪は、それぞれの前記側部プレート部において前記溝の底部側に位置する先端部に形成され、前記連結プレート部は、前記側部プレート部の前記先端部よりも前記溝の底部から離間した位置にオフセットして設けられているようにしてもよい。
これにより、各側部プレート部は溝の側面それぞれに沿って配置されつつ、連結プレート部がこれら側部プレート部を連結している。よって、連結プレート部が両側部プレート部を互いに離間した状態を維持するように連結している。また、連結プレート部は側部プレート部の先端部よりも溝の底部から離間した位置にオフセットして設けられているため、両側部プレート部は、先端部から先端部と反対側にわたって、互いに離間した状態が維持される。よって、側部プレート部は先端部から先端部と反対側にわたって溝の側面に沿って配置された状態を維持されるため、嵌合部材が溝内に嵌め込まれた状態が維持される。
【０００９】
前記嵌合部材は、オプション部材が装着可能であるようにしてもよい。
このような構成により、この嵌合部材を利用して、様々なオプション部材を溝取り付けることができる。そして、オプション部材を取り付けるための溝が、基材の外周端部に形成されているため、基材の表面に溝を設ける必要がない。
しかも、嵌合部材に形成された係合爪を、溝の底部に設けられた係合突起に係合させることで、オプション部材を溝に対して強固に取り付けることができる。
【００１０】
さらに、前記嵌合部材において、前記連結プレート部よりも前記溝の底部から離間した側に挿入され、前記側部プレート部同士が互いに接近する方向に変形するのを拘束する変形拘束部材をさらに備えているようにしてもよい。
断面略Ｈ字状をなした嵌合部材は、連結プレート部よりも溝の底部から離間した側で側部プレート部どうしが互いに接近する方向に変形すると、側部プレート部の先端部同士が互いに離間する方向に変位しようとするが、変形拘束部材により側部プレート部どうしが互いに接近する方向に変形するのを拘束する。これにより、係合爪と係合突起との係合を確実に維持できる。
【００１１】
また、前記嵌合部材は、前記側部プレート部において、前記連結プレート部よりも前記溝の底部から離間した側に、前記溝の内方に向けて突出する凸部が形成され、前記変形拘束部材は、前記凸部と、前記側部プレート部と、前記連結プレート部とに囲まれて保持されるとともに、前記オプション部材を固定する固定部が形成されているようにしてもよい。
変形拘束部材を、凸部と側部プレート部と連結プレート部とに囲まれるよう保持することによって、変形拘束部材の脱落を防止できる。
そして、この変形拘束部材に形成された固定部により、オプション部材を確実に固定することができる。
【００１２】
また、前記係合突起は、前記溝が連続する方向に間隔をあけて複数個が設けられているようにしてもよい。
これにより、嵌合部材が溝に沿って連続する場合、複数個所の係合突起に係止すればよく、嵌合部材を容易に装着することができる。
【００１３】
また、本発明のパネル体は、前記溝の底部に貫通孔が形成され、前記係合突起は、前記貫通孔に係合する貫通孔係合爪と、前記溝の底部から突出する突出部と、前記突出部において、前記溝の底部から離間した側に形成されて外周側に張り出し、前記係合爪が係合する被係合部と、を一体に備えるようにしてもよい。
これにより、係合突起は、溝の底部に形成された貫通孔に貫通孔係合爪を係合させれば、溝の底部に容易に固定できる。そして、このようにして固定された係合突起の被係合部に、嵌合部材の係合爪を係合させることができる。
【００１４】
また、本発明のパネル体は、前記基材の少なくとも一面側を覆い、外周端部が前記基材の外周縁部で前記溝の内側に巻き込まれた表皮材をさらに備え、前記嵌合部材は、前記溝内周面との間に前記表皮材を挟み込むようにしてもよい。
これにより、表皮材が、パネル体の外周部において、基材の外周縁部を回り込んで溝の内側に巻き込まれているため、パネル体の外周部は、基材が露出することなく、表皮材で覆われることになる。これにより、パネル体の外観が、柔軟な印象となる。
そして、表皮材は、嵌合部材によって溝内周面に固定されることとなる。このようにして、嵌合部材は、オプション部材を取り付けるための機能と、表皮材を固定する機能とを兼ね備えたものとなる。
そして、この嵌合部材は、係合爪と係合突起との係合によって溝に確実に固定されるため、表皮材も確実に溝内周面に固定できる。
【発明の効果】
【００１５】
本発明によれば、端部に形成された溝が塞がれた状態を確実に維持することが可能となる。
【図面の簡単な説明】
【００１６】
【図１】本実施形態におけるパネル体の構成を示す斜視展開図である。
【図２】パネル体の板厚方向中間部における半断面図である。
【図３】パネル体の端部を示す上面図である。
【図４】パネル体の直線部の構造を示す断面図である。
【図５】パネル体のコーナー部の構造を示す断面図である。
【図６】パネル基材の表面に沿って設けられたクッション材を示す断面図であり、（ａ）は表皮材を非装着の状態におけるクッション材の断面図、（ｂ）は表皮材を装着した状態におけるクッション材の断面図である。
【図７】溝の底面に設けた係合突起を示す図であり、（ａ）は溝を底面に直交する方向から見た図、（ｂ）は、係合突起を設けた溝の底面の断面図である。
【図８】パネル体のオプション取付部材を利用してオプション部材をパネル体に取り付ける構成の例を示す図であり、ソファとパネル体との連結部分の構造を示す側面図である。
【図９】図８の要部の拡大図である。
【図１０】ソファとパネル体との連結部分の構造を示す断面図である。
【図１１】ソファとパネル体とを連結する什器上連結ブラケットの斜視図である。
【図１２】図８の要部の拡大図である。
【図１３】ソファとパネル体とのを連結する什器下連結ブラケットの斜視図である。
【図１４】係合突起の変形例を示す図であり、（ａ）は溝を底面に直交する方向から見た図、（ｂ）は、係合突起を設けた溝の底面の断面図である。
【発明を実施するための形態】
【００１７】
以下、添付図面を参照して、本発明によるパネル体を実施するための形態を説明する。しかし、本発明はこの実施形態のみに限定されるものではない。
【００１８】
（パネル体）
図１は、本実施形態におけるパネル体の構成を示す斜視展開図である。図２は、パネル体の板厚方向中間部における半断面図である。図３は、パネル体の端部を示す上面図である。図４は、パネル体の直線部の構造を示す断面図である。図５は、パネル体のコーナー部の構造を示す断面図である。
図１に示すように、パネル体１１は、パネル基材（基材）１２と、パネル基材１２の両面に沿って設けられたクッション材１３と、パネル基材１２およびクッション材１３を覆う表皮材１４と、固定部材３０と、を備えている。
パネル体１１は、設置する什器の形状等に沿って、平面板状、あるいは平面視または側面視したときに、中間部で折曲または湾曲した略Ｌ字状、あるいは全体が湾曲した平面視略Ｃ字状等とすることができる。以下においては、パネル体１１が平面板状であるものとして説明を行う。
【００１９】
（パネル基材）
パネル基材１２は、パネル状の芯材１５と、芯材１５の外周部に沿って設けられたフレーム２０と、芯材１５およびフレーム２０の両面を覆うように設けられたベースシート１８と、を備えている。
【００２０】
芯材１５は、例えば紙系材料、樹脂系材料、木質系材料等から形成されている。この芯材１５は、なるべく軽量とするのが好ましい。そこで、本実施形態では、芯材１５は、紙系材料から形成され、板厚方向に貫通する孔１５ｈが多数並設された、例えば断面六角形状の複数の孔１５ｈが千鳥状に組み合わされたハニカム構造とされている。
【００２１】
（フレーム）
図１、図２に示すように、この芯材１５の外周部には、フレーム２０が設けられている。フレーム２０は、芯材１５の四辺に沿って設けられた枠材２１Ａ，２１Ｂ，２１Ｃ，２１Ｄを備えている。各枠材２１Ａ，２１Ｂ，２１Ｄ，２１Ｄは、金属系材料、樹脂系材料等から形成されている。
枠材２１Ａ，２１Ｂは、芯材１５において互いに対向する２辺に沿って上下方向に延在し、パネル体１１の幅方向両側に設けられている。枠材２１Ｃ，２１Ｄは、枠材２１Ａ，２１Ｂに直交して横方向に延在し、パネル体１１の上下方向両側に設けられている。これら枠材２１Ａ，２１Ｂと枠材２１Ｃ，２１Ｄとは、Ｌ字状のブラケット２２を介し、ボルト２３、あるいは溶接、接着等によって接合されている。これら枠材２１Ａ，２１Ｂ，２１Ｃ，２１Ｄによって、全体として矩形状をなしたフレーム２０が形成されている。
【００２２】
図３〜図５に示すように、各枠材２１Ａ，２１Ｂ，２１Ｃ，２１Ｄは、フレーム２０の内周側の芯材１５の外周端面１５ａに対向する底部２１ｅと、底部２１ｅの幅方向両側からそれぞれフレーム２０の外周側に向けて立ち上がる側壁部２１ｆと、からなる、断面略Ｕ字状に形成されている。これにより、底部２１ｅと、両側の側壁部２１ｆ，２１ｆとに囲まれた部分は、溝２５とされている。
このようにして、パネル基材１２は、その外周端部に沿って連続し、パネル基材１２の内方に向けて凹んだ溝２５を有している。
【００２３】
ここで、図２に示すように、Ｌ字状のブラケット２２は、枠材２１Ａまたは２１Ｂに沿って枠材２１Ａまたは２１Ｂの端部に設けられる第一プレート部２２ａと、第一プレート部２２ａに直交し、枠材２１Ｃまたは２１Ｄに沿って枠材２１Ｃまたは２１Ｄの端部に設けられる第二プレート部２２ｂと、第一プレート部２２ａおよび第二プレート部２２ｂに沿ってＬ字状のブラケット２２の屈曲方向内側に設けられたリブ部２２ｃとが一体に形成されている。
【００２４】
Ｌ字状のブラケット２２の第一プレート部２２ａ、第二プレート部２２ｂには、雌ネジ部２９が形成されている。またブラケット２２の第一プレート部２２ａに沿う枠材２１Ａまたは２１Ｂの底部２１ｅと、第二プレート部２２ｂに沿う枠材２１Ｃまたは２１Ｄの底部２１ｅには、それぞれ、雌ネジ部２９に対向した位置に、貫通孔２８が形成されている。
【００２５】
リブ部２２ｃは、第一プレート部２２ａおよび第二プレート部２２ｂから、第一プレート部２２ａおよび第二プレート部２２ｂに直交して、パネル体１１の内周側に向けて突出形成されている。このリブ部２２ｃは、第一プレート部２２ａおよび第二プレート部２２ｂの幅方向両側、つまり、パネル体１１の一面側と他面側とにそれぞれ形成されている。このリブ部２２ｃは、第一プレート部２２ａおよび第二プレート部２２ｂの曲げ強度を高める補強部材として機能するだけでなく、芯材１５の角部の押さえ部材としても機能することができる。すなわち、パネル基材１２の一面側と他面側にそれぞれ設けられたリブ部２２ｃの間に芯材１５が挟み込まれる。パネル基材１２においては、四隅にこのようなブラケット２２が設けられることにより、芯材１５をフレーム２０の内側に保持できるようになっている。
【００２６】
なおここで、図１では、平面板状のパネル体１１の例を示したが、パネル体１１を平面視または側面視した状態で略Ｌ字状、略Ｃ字状等とする場合には、フレーム２０の上下の枠材２１Ｃ，２１Ｄまたは左右の枠材２１Ａ，２１Ｂを，パネル体１１の形状に合わせて折曲または湾曲させる。
【００２７】
図４、図５に示すように、フレーム２０および芯材１５を覆うように、芯材１５の両面には、シート状のベースシート１８が設けられている。ベースシート１８は、例えばボール紙等から形成されている。このベースシート１８は、芯材１５よりも外形寸法が大きく、その外周部１８ａがフレーム２０の表面２０ｆに接着剤等により接着されている。
【００２８】
（クッション材）
クッション材１３は、パネル基材１２の表面を形成するベースシート１８に沿って設けられている。クッション材１３は、ベースシート１８を介して、芯材１５の全体を覆うように設けられている。さらに、クッション材１３は、その外周端部１３ｓが、フレーム２０を構成する各枠材２１Ａ，２１Ｂ，２１Ｃ，２１Ｄの側壁部２１ｆを覆うように設けられている。つまり、クッション材１３は、芯材１５およびフレーム２０を覆うように設けられている。
このクッション材１３は、柔軟性および弾性を有した材料、例えば発泡ウレタン材等から形成されている。
【００２９】
図６は、パネル基材１２の表面に沿って設けられたクッション材１３を示す断面図であり、（ａ）は表皮材１４を非装着の状態におけるクッション材１３の断面図、（ｂ）は表皮材１４を装着した状態におけるクッション材１３の断面図である。
図１に示すように、クッション材１３には、複数の貫通孔１６が形成されている。貫通孔１６は、例えば、上下方向を長軸方向とした長円形状とされている。そして、クッション材１３の外表面１３ｆには、複数の貫通孔１６が、上下方向および上下方向に直交する横方向に、間隔を空けて配列されている。
【００３０】
図４、図６に示すように、各貫通孔１６は、クッション材１３においてパネル基材１２とは反対側を向く外表面１３ｆからパネル基材１２側に対向する対向面１３ｇまで、クッション材１３の厚さ方向に貫通して形成されている。図６（ａ）に示すように、各貫通孔１６は、その内周面１６ｆが外表面１３ｆと直交して形成されている。これにより、貫通孔１６の周縁に角部１６ｖが形成されている。
このような貫通孔１６が形成されたクッション材１３をパネル基材１２の表面に設けることで、パネル基材１２の表面に角部１６ｖを有する凹凸形状が形成される。
【００３１】
（表皮材）
図４、図６に示すように、表皮材１４は、クッション材１３の全体を覆うよう設けられている。表皮材１４は、クッション材１３の外表面１３ｆと、貫通孔１６において外表面１３ｆに直交する内周面１６ｆと、貫通孔１６の底部に露出するベースシート１８の露出面１８ｆとに沿うよう、接着されている。このようにして、表皮材１４が、クッション材１３に形成された複数の貫通孔１６に沿うことで、パネル体１１の表面には、複数の長円形状の（凹凸部）凹部１７が形成されている。そして、各凹部１７において、表皮材１４は、貫通孔１６を通して、パネル基材１２の表面を形成するベースシート１８に接着されている。
ここで、表皮材１４は、例えばポリエステル等、弾性変形可能な材質で形成され、伸長した状態でクッション材１３及びパネル基材１２を覆っている。クッション材１３は、外表面１３ｆ側の貫通孔１６の周縁において外方に向けて凸となる角部１６ｖが、表皮材１４によって内方に向けて押圧される。これにより、クッション材１３は、角部１６ｖにおいて圧縮方向に弾性変形し、貫通孔１６の角部１６ｖは、円弧状断面とされている。
これにより、表皮材１４が角部１６ｖに突き当たった部分で角部１６ｖの反発力によって押圧される。したがって、凹部１７の形状が維持されるとともに、表皮材１４がクッション材１３の外表面１３ｆに沿った方向で図６（ｂ）中に矢印Ｔで示す方向に伸長され、表皮材１４が弛むのを抑えることができる。
【００３２】
また、図４、図５に示すように、クッション材１３および表皮材１４は、パネル基材１２よりも大きな外形寸法を有している。そして、クッション材１３および表皮材１４は、その外周端部１３ｅ，１４ｅが、パネル基材１２の外周縁部、つまり各枠材２１Ａ，２１Ｂ，２１Ｃ，２１Ｄの側壁部２１ｆを回り込んで、溝２５内側に巻き込まれている。このクッション材１３および表皮材１４の外周端部１３ｅ，１４ｅが、各枠材２１Ａ，２１Ｂ，２１Ｃ，２１Ｄの側壁部２１ｆを回り込む部分で、クッション材１３が表皮材１４によって圧縮される。これにより、パネル体１１は、外周端部１１ｓに向かうにしたがって、その厚みが漸次小さくするように形成されている。また、パネル体１１は、外周端部１１ｓにおいてクッション材１３および表皮材１４が各枠材２１Ａ，２１Ｂ，２１Ｃ，２１Ｄの側壁部２１ｆを回り込む部分で、丸く円弧状に形成されている。
これらクッション材１３及び表皮材１４が、表皮構造を構成している。
【００３３】
（固定部材）
固定部材３０は、溝２５に嵌め込まれている。固定部材３０は、溝２５内側に巻き込まれたクッション材１３および表皮材１４の外周端部１３ｅ，１４ｅを、溝２５の内周面と固定部材３０の外周面との間に挟み込んでいる。これにより、クッション材１３および表皮材１４の外周端部１３ｅ，１４ｅをフレーム２０の側壁部２１ｆに固定している。
【００３４】
ここで、図１に示すように、固定部材３０は、矩形状のパネル基材１２の外周部の直線部分１２Ｓに配置される直線部固定部材（嵌合部材）３０Ｓと、矩形状のパネル基材１２の外周部のコーナー部１２Ｃに配置されるコーナー部固定部材３０Ｃと、を備えている。
【００３５】
図４に示すように、直線部固定部材３０Ｓは、直線部固定部材３０Ｓが連続する方向に直交する断面形状が、互いに平行に位置する側部プレート部３１，３１と、側部プレート部３１，３１どうしを一体に連結する連結プレート部３２と、を備えている。
【００３６】
側部プレート部３１，３１は、フレーム２０の溝２５を形成する側壁部２１ｆとの間に、クッション材１３および表皮材１４の外周端部１３ｅ，１４ｅを挟み込む。このため、側部プレート部３１，３１の間隔は、溝２５の側壁部２１ｆ，２１ｆの間隔よりも所定寸法小さく形成されている。これら側部プレート部３１，３１は、直線部固定部材３０Ｓを溝２５内に嵌め込んだときに、先端部３１ａ，３１ａが溝２５の底部２１ｅに突き当たるよう形成されている。
【００３７】
連結プレート部３２は、側部プレート部３１，３１の先端部３１ａ，３１ａよりも、溝２５の底部２１ｅから離間する方向にオフセットして形成されている。これにより、直線部固定部材３０Ｓは、側部プレート部３１，３１と連結プレート部３２とにより、断面略Ｈ字状をなしている。そして、直線部固定部材３０Ｓは、溝２５内に嵌め込んだ状態で、側部プレート部３１，３１の先端部３１ａ，３１ａ側と、連結プレート部３２と、溝２５の底部２１ｅとに囲まれた部分に、空間Ｓ１が形成されるようになっている。この空間Ｓ１は、溝２５内に巻き込まれたクッション材１３および表皮材１４の外周端部１３ｅ，１４ｅの余剰部、すなわち外周端部１３ｅ，１４ｅのうちフレーム２０の底部２１ｅに突き当たった部分よりも先端部分（不図示）を収容できる収容空間として機能する。
【００３８】
また、側部プレート部３１，３１において、溝２５の側壁部２１ｆ，２１ｆに対向する側には、突起３３，３３が形成されている。この突起３３，３３は、側部プレート部３１，３１と側壁部２１ｆ，２１ｆとの間に挟み込まれたクッション材１３および表皮材１４の外周端部１３ｅ，１４ｅに食い込むようになっている。これにより、直線部固定部材３０Ｓは、クッション材１３および表皮材１４が溝２５から抜け出ることを防止している。
【００３９】
さらに、側部プレート部３１，３１において、連結プレート部３２よりも溝２５の底部２１ｅから離間する側には、側部プレート部３１，３１から内方に向けて突出する突条（凸部）３４，３４が形成されている。そして、これら突条３４，３４と、側部プレート部３１，３１と、連結プレート部３２とに囲まれて、オプション取付部材として保持溝３５が形成されている。
【００４０】
ここで、上記直線部固定部材３０Ｓを溝２５に強固に固定するため、溝２５の底部２１ｅには、底部２１ｅからパネル体１１の外周側に向けて突出する係合突起７０が設けられている。そして、保持溝３５を形成する直線部固定部材３０Ｓには、係合突起７０に係合可能な係合爪８０が設けられている。
【００４１】
図７は、溝２５の底面２１ｅに設けた係合突起７０を示す図であり、（ａ）は溝２５を底面２１ｅに直交する方向から見た図、（ｂ）は、係合突起７０を設けた溝２５の底面２１ｅの断面図である。
図７に示すように、係合突起７０を固定するため、溝２５の底部２１ｅに互いに平行に形成された一対の長方形状の貫通孔７５が形成されている。
係合突起７０は、断面形状が矩形で、その先端側に、貫通孔７５に係合する一対の貫通孔係合爪７１を有している。一対の貫通孔係合爪７１は、外周側に突出しており、係合突起７０の先端部を貫通孔７５に挿入したときに内周側に向けて弾性変形し、貫通孔７５を通過した後に弾性変形が復元することによって、貫通孔７５に係合される。
係合突起７０は、先端部を貫通孔７５に挿入・係合させた状態で、溝２５の底部２１ｅから突出する突出部７２と、突出部７２において、溝２５の底部２１ｅから離間した側に形成されて溝２５の両外側に向けて張り出し、係合爪８０が係合する被係合部７３と、を一体に備えている。
このような係合突起７０は、溝２５が連続する方向に間隔をあけて複数個が設けられている
【００４２】
図４に示すように、係合爪８０は、直線部固定部材３０Ｓを構成するそれぞれの側部プレート部３１の先端部３１ａに形成されている。係合爪８０は、互いに対向する側部プレート部３１，３１の内側に向けて突出して形成されている。
係合爪８０を備えた直線部固定部材３０Ｓは、溝２５に装着する際に、先端部３１ａ，３１ａの係合爪８０，８０を、溝２５の底部２１ｅに設けられた係合突起７０の被係合部７３に係合させる。
これにより、直線部固定部材３０Ｓを溝２５に対して確実に固定できる。
【００４３】
さらに、保持溝３５を形成する直線部固定部材３０Ｓは、連結プレート部３２よりも溝２５の底部２１ｅから離間した側に挿入され、側部プレート部３１同士が互いに接近する方向に変形するのを拘束する変形拘束部材８５をさらに備える。
断面略Ｈ字状をなした直線部固定部材３０Ｓは、連結プレート部３２よりも溝２５の底部２１ｅから離間した側で側部プレート部３１どうしが互いに接近する方向に変形すると、側部プレート部３１の先端部３１ａ同士が互いに離間する方向に変位する。すると、係合爪８０と係合突起７０との係合が解除されてしまう可能性がある。そこで、変形拘束部材８５により側部プレート部３１どうしが互いに接近する方向に変形するのを拘束する。これにより、係合爪８０と係合突起７０との係合を確実に維持する。
ここで、変形拘束部材８５は、突条３４と、側部プレート部３１と、連結プレート部３２とに囲まれた空間Ｓ１に保持されている。
変形拘束部材８５は、オプション部材を固定するための部材として機能させることができる。この場合、変形拘束部材８５は、オプション部材を固定するためのボルトをねじ込む雌ねじ（固定部）８５ｈが固定部として形成されている。
【００４４】
図２に示すように、パネル体１１の上部のコーナー部に配置されるコーナー部固定部材３０Ｃは、上下方向に延びる第一直線状部３８Ａと、第一直線状部３８Ａの上端から屈曲して横方向に延びる第二直線状部３８Ｂとから、略Ｌ字状に形成されている。
第一直線状部３８Ａは、上下方向に延びる枠材２１Ａまたは枠材２１Ｂの上端部において溝２５内に嵌め込まれる。第二直線状部３８Ｂは、第一直線状部３８Ａの一端から連続して形成され、横方向に延びる枠材２１Ｃまたは枠材２１Ｄの両端部において溝２５内に嵌め込まれる。このようにして、溝２５は、パネル基材１２の上面と両側面とに連続して形成されて、上面の溝２５と両側面の溝２５とが連続する部分にコーナー部固定部材３０Ｃが設けられている。
【００４５】
図５に示すように、第一直線状部３８Ａ、第二直線状部３８Ｂは、それぞれが連続する方向に直交する断面形状が、互いに平行に位置する側部プレート部３６，３６と、側部プレート部３６，３６どうしを一体に連結する連結プレート部３７と、を備えている。
【００４６】
側部プレート部３６，３６は、フレーム２０の溝２５を形成する側壁部２１ｆ，２１ｆとの間に、クッション材１３および表皮材１４の外周端部１３ｅ，１４ｅを挟み込む。このため、側部プレート部３６，３６の間隔は、溝２５の側壁部２１ｆ，２１ｆの間隔よりも所定寸法小さく形成されている。これら側部プレート部３６，３６は、コーナー部固定部材３０Ｃを溝２５内に嵌め込んだときに、先端部３６ａ，３６ａが溝２５の底部２１ｅに突き当たるよう形成されている。
ここで、側部プレート部３６，３６において、溝２５の側壁部２１ｆ，２１ｆに対向する側に、突起３６ｔ，３６ｔが形成されている。この突起３６ｔ，３６ｔは、側部プレート部３１，３１と側壁部２１ｆ，２１ｆとの間にクッション材１３および表皮材１４の外周端部１３ｅ，１４ｅを挟み込むようになっている。
【００４７】
連結プレート部３７は、側部プレート部３６，３６の先端部３６ａ，３６ａよりも、溝２５の底部２１ｅから離間する方向にオフセットして形成されている。これにより、コーナー部固定部材３０Ｃは、側部プレート部３６，３６と連結プレート部３７により、断面略Ｈ字状をなしている。そして、直線部固定部材３０Ｓは、溝２５内に嵌め込んだ状態で、側部プレート部３６，３６の先端部３６ａ，３６ａ側と、連結プレート部３７と、溝２５の底部２１ｅとに囲まれた部分に、空間Ｓ２が形成されるようになっている。この空間Ｓ２は、溝２５内に巻き込まれたクッション材１３および表皮材１４の外周端部１３ｅ，１４ｅの余剰部、すなわち外周端部１３ｅ，１４ｅのうちフレーム２０の底部２１ｅに突き当たった部分よりも先端部分（不図示）を収容できる収容空間として機能する。なおここで、連結プレート部３７は、直線部固定部材３０Ｓにおける連結プレート部３２よりも底部２１ｅに近く、空間Ｓ２は、空間Ｓ１よりも小さく形成されている。
【００４８】
図２に示すように、このようなコーナー部固定部材３０Ｃは、溝２５に対し、コーナーキャップ４０によって固定されている。コーナーキャップ４０は、第一直線状部４１Ａと、第一直線状部４１Ａの一端に連続し、第一直線状部４１Ａに直交して延びる第二直線状部４１Ｂとからなる略Ｌ字状をなしている。図５に示すように、これら第一直線状部４１Ａ,第二直線状部４１Ｂは、コーナー部固定部材３０Ｃの第一直線状部３８Ａ，第二直線状部３８Ｂに対し、側部プレート部３６，３６との間に挿入され、連結プレート部３７に突き当てられている。
そして、図２に示すように、第一直線状部４１Ａの下端部には、突起片４３が下方に向けて突出形成されている。この突起片４３が、直線部固定部材３０Ｓの上端部において、連結プレート部３２と突条３４との間の保持溝３５（図４参照）に挿入されている。
【００４９】
また、図２に示すように、第二直線状部４１Ｂには、ボルト４５を挿入するボルト挿通孔４４が形成されている。このボルト挿通孔４４に挿通させたボルト４５により、コーナーキャップ４０と、コーナー部固定部材３０Ｃ、枠材２１Ｃ、ブラケット２２の第二プレート部２２ｂが一体に締結されている。
【００５０】
（支持脚体）
図２に示すように、上記したようなパネル体１１の下部両端部のコーナー部には、それぞれ、支持脚体５０が取付可能とされている。この支持脚体５０は、床面に接地することで、パネル体１１を床面上に立設させる。
支持脚体５０は、パネル基材１２の下部端部１２Ｐで溝２５内に収容される下部支持部５１と、下部支持部５１の一端から上方に延び、パネル基材１２の側部下端部１２Ｑで溝２５内に収容される側部支持部５２と、下部支持部５１よりも下方に延びる支持脚部５３と、を一体に備えている。
【００５１】
下部支持部５１はフレーム２０の下端部の溝２５の底面を形成する底部２１ｅに突き当てて固定されている。また、側部支持部５２は、フレーム２０の側端部の溝２５の底部２１ｅに突き当てて固定されている。
下部支持部５１および側部支持部５２には、ボルト４８が挿通されるボルト挿通孔５４が形成されている。このボルト挿通孔５４に挿通されるボルト４８は、雌ネジ部２９および貫通孔２８にねじ込まれるようになっている。これにより、支持脚体５０が、パネル体１１に固定される。
【００５２】
支持脚部５３は、下部支持部５１よりも下方に延び、その下端部に、高さ調整ネジ４９がねじ込み可能とされている。
【００５３】
（パネル体１１へのオプション部材取付構造）
上記したようなパネル体１１において、直線部固定部材３０Ｓに形成された保持溝３５は、パネル体１１に様々なオプション部材を付加するためのオプション取付部材として機能する。
以下、保持溝３５を用いたオプション部材の取付例を例示する。
【００５４】
図８は、保持溝３５を用いたソファ１００とパネル体１１との連結部分の構造を示す側面図である。図９は、図８の要部の拡大図である。図１０は、ソファ１００とパネル体１１との連結部分の構造を示す断面図である。図１１は、ソファ１００とパネル体１１とを連結する什器上連結ブラケット（ブラケット）１７１の斜視図である。
【００５５】
図８から図１１に示すように、パネル体１１の上部には、オプション部材として、このパネル体１１とソファ１００の上部とを連結する什器上連結ブラケット１７１が装着可能とされている。
【００５６】
什器上連結ブラケット１７１は、パネル体１１の幅方向端部に取り付けられる係止部１７２と、係止部１７２の端部から屈曲しパネル基材１２の溝２５に設けられた直線部固定部材３０Ｓの側部プレート部３１に沿って延びる側壁部１７３とを有している。什器上連結ブラケット１７１は、側壁部１７３の端部から屈曲しパネル体１１の外周端部１３ｓに沿って延びる外壁部１７４と、外壁部１７４の端部から屈曲しパネル体１１の表皮材１４に沿って配置される挟持壁部１７５とを有している。什器上連結ブラケット１７１は、ソファ１００の背凭れ部１０３の上端に沿って配置される上壁部１７６と、上壁部１７６の端部から背凭れ部１０３の前面に沿って配置される前壁部１７７とを有している。
【００５７】
什器上連結ブラケット１７１の係止部１７２には、貫通孔１７２Ａが形成されている。この貫通孔１７２Ａから挿通されたボルト１７９が、パネル体１１の枠材２１Ａ（又は枠材２１Ｂ）に固定された直線部固定部材３０Ｓの保持溝３５内に設けられ、雌ねじ８５ｈが形成された変位拘束部材８５に螺合されている。このように什器上連結ブラケット１７１がパネル体１１に取り付けられた状態で、ソファ１００の背凭れ部１０３の上部は、什器上連結ブラケット１７１の挟持壁部１７５と前壁部１７７とで挟持される。
【００５８】
このとき、パネル体１１における什器上連結ブラケット１７１の外壁部１７４が配置される側のクッション材１３Ｐは、外壁部１７４に押圧されている。これにより、什器上連結ブラケット１７１が配置される側のクッション材１３Ｐの幅寸法は、什器上連結ブラケット１７１が配置されない側のクッション材１３Ｑの幅寸法よりも短くなる。また、クッション材１３Ｑの端部と、クッション材１３Ｐに沿って配置された什器上連結ブラケット１７１の外壁部１７４の端面とは、面一とされている。
【００５９】
図１２は、図８の要部の拡大図である。図１３は、ソファ１００とパネル体１１とのを連結する什器下連結ブラケット（ブラケット）１８１の斜視図である。
【００６０】
図８，図１２、図１３に示すように、ソファ１００の上部とパネル体１１の下部とは、オプション部材としての什器下連結ブラケット（連結部材）１８１を介して連結されている。
【００６１】
什器下連結ブラケット１８１は、図示しないボルトによりソファ１００の脚１０１上に設けられた座部１０２の下面に取り付けられる支持壁部１８２と、支持壁部１８２の端部から下方に向かって屈曲形成された屈曲壁部１８３とを有している。什器下連結ブラケット１８１は、屈曲壁部１８３の端部から屈曲しパネル体１１の表皮材１４に沿って配置される上下壁部１８４と、上下壁部１８４の下端から屈曲しパネル体１１側に向かって伸びる下壁部１８５と、下壁部１８５の端部から上方に向かって延びパネル体１１の下端に取り付けられる係止部１８６とを有している。この係止部１８６と下壁部１８５とは、ボルト１８９にて螺合されることで一体とされている。
【００６２】
什器下連結ブラケット１８１の係止部１８６は、パネル体１１の枠材２１Ａ（又は枠材２１Ｂ）に固定された直線部固定部材３０Ｓの側部プレート部３１に形成された突条３４，３４の間に挿入されて係止されている。
【００６３】
このように、パネル体１１は、什器上連結ブラケット１７１および什器下連結ブラケット１８１を介して、ソファ１００の背面に沿った状態が維持されている。
【００６４】
上述したパネル体１１においては、オプション部材が装着可能な保持溝３５が、パネル基材１２の外周端部に形成された溝２５に設けられているので、この溝２５および溝２５に収められた保持溝３５を利用して、様々なオプション部材を取り付けることができる。
ここで、オプション部材を取り付けるための溝２５が、パネル基材１２の表面ではなく外周端部に形成されているため、オプション部材がパネル体１１の表面に露出するのを最小限に抑え、美観を損なうのを防ぐ。
【００６５】
さらに、保持溝３５を形成する直線部固定部材３０Ｓに形成された係合爪８０を、溝２５の底部２１ｅに設けられた係合突起７０に係合させることで、直線部固定部材３０Ｓを、溝２５に対して強固に取り付けることができる。これにより、保持溝３５に、什器上連結ブラケット１７１や什器下連結ブラケット１８１等のオプション部材を取り付けたときに、オプション部材を通して外力が加わった場合等にも、直線部固定部材３０Ｓが不用意に溝２５から脱落するのを防ぎ、溝２５が塞がれた状態を確実に維持するとともに、オプション部材を強固に保持することができる。
【００６６】
また、側部プレート部３１と連結プレート部３２とにより、断面略Ｈ字状をなした直線部固定部材３０Ｓは、変形拘束部材８５により側部プレート部３１どうしが互いに接近する方向に変形するのが拘束されている。これにより、係合爪８０と係合突起７０との係合を確実に維持することができ、オプション部材をより確実に保持することができる。
さらに、変形拘束部材８５に形成された雌ねじ８５ｈにより、変形拘束部材８５にオプション部材を確実に固定することができる。
【００６７】
また、係合突起７０は、溝２５が連続する方向に間隔をあけて複数個が設けられている。これにより、直線部固定部材３０Ｓが、溝２５に沿って連続する場合、複数個所の係合突起７０に係止すればよく、直線部固定部材３０Ｓを容易に装着することができる。
【００６８】
また、それぞれの係合突起７０は、溝２５の底部２１ｅに形成された貫通孔７５に、貫通孔係合爪７１を係合させれば、溝２５の底部２１ｅに容易に固定できる。そして、このようにして固定された係合突起７０の被係合部７３に、直線部固定部材３０Ｓの係合爪８０を係合させることができる。
【００６９】
オプション部材としては、ソファ１００等の什器に連結される什器上連結ブラケット１７１、什器下連結ブラケット１８１を設けるようにした。これにより、ソファ１００と、パネル体１１とを連結することができる。
【００７０】
さらに、上述したパネル体１１によれば、クッション材１３および表皮材１４が、パネル体１１の外周部において、パネル基材１２の外周縁部を回り込んで溝２５の内側に巻き込まれている。このため、パネル体１１の外周部は、パネル基材１２が露出することなく、表皮材１４で覆われることになる。これにより、パネル体１１の外観を、柔軟な、有機的な印象とすることができる。
そして、クッション材１３および表皮材１４は、溝２５内で固定部材３０により固定されるため、固定部材３０がパネル体１１の外周部に露出するのを抑えることができる。ここで、直線部固定部材３０Ｓは、上記したように、係合突起７０に係合されているので、不用意に溝２５から脱落するのを防ぐことができる。したがって、クッション材１３および表皮材１４を確実に固定することができる。
【００７１】
（その他の実施形態）
なお、本発明は、図面を参照して説明した上述の各実施形態に限定されるものではなく、その技術的範囲において様々な変形例が考えられる。
図１４は、係合突起７０の変形例を示す図であり、（ａ）は溝２５を底面２１ｅに直交する方向から見た図、（ｂ）は、係合突起７０を設けた溝２５の底面２１ｅの断面図である。
この図１４に示すように、係合突起７０Ｂは、矩形状ではなく、断面円形状のものとすることもできる。この場合、溝２５の底部２１ｅに形成する貫通孔７５Ｂも円形のものとする。
この係合突起７０Ｂは、貫通孔７５Ｂに係合する貫通孔係合爪７１Ｂと、溝２５の底部２１ｅから突出する突出部７２Ｂと、突出部７２Ｂにおいて、溝２５の底部２１ｅから離間した側に形成されて外周側に張り出し、係合爪８０が係合する被係合部７３Ｂと、を一体に備える。
【００７２】
また、変形拘束部材８５は、突条３４と、側部プレート部３１と、連結プレート部３２とに囲まれた空間Ｓ１に配置するものとしたが、これに限らない。側部プレート部３１どうしが互いに接近する方向に変形するのを拘束するよう、連結プレート部３２よりも溝２５の底部２１ｅから離間した側で、側部プレート部３１どうしの間に変形拘束部材が挿入されていれば良い。
さらに、変形拘束部材８５は、オプション部材を固定するための部材としても機能するようにしたが、これに限らない。例えば、変形拘束部材は、オプション部材を固定するための部材としての機能は有さず、連結プレート部３２よりも溝２５の底部２１ｅから離間した側で、側部プレート部３１，３１の間に嵌め込むのみでもよい。
【００７３】
また、例えば、上記実施形態においては、パネル基材１２の外周部の全周にわたって溝２５を形成するものとしたが、これに限るものではなく、周方向の少なくとも一部に溝２５が形成されていれば良い
【００７４】
また、上記実施形態では、オプション部材を装着するオプション取付部材として、直線部固定部材３０Ｓに保持溝３５を形成したがこれに限るものではなく、溝２５の内部にオプション部材を装着できるのであれば、いかなる部位（部品）にいかなるオプション取付部材を形成してもよい。
【００７５】
また、溝２５内で表皮材１４を固定する固定手段として、固定部材３０を例に挙げたが、表皮材１４を固定できるのであれば、他のいかなる構成としてもよい。例えば、固定部材３０の断面形状、構造等については、何ら限定するものではない。さらには、表皮材１４を、タッカーや接着等によって溝２５内に固定するようにしてもよい。
【００７６】
上記実施形態では、軟性材として、弾性を有したクッション材１３を例に挙げたが、軟性材は、弾性を有さず、少なくとも軟性を有していれば良い。
【００７７】
さらに、上記実施形態では、パネル基材１２を、芯材１５、フレーム２０、およびベースシート１８から形成したが、これに限るものではない。例えば、単体で所要の強度を確保できるのであれば、例えば、樹脂材料等からなるパネルをそのままパネル基材１２とし、その外周部に溝２５を形成するようにしてもよい。また、基材は、例えば、各種什器の外表面を構成する部材等とすることもできる。これにより、什器の表面に、凹凸部を形成し、意匠性を高めることが可能となる。
【００７８】
加えて、上記実施形態では、クッション材１３および表皮材１４の外周端部１３ｅ，１４ｅが、パネル基材１２を構成する各枠材２１Ａ，２１Ｂ，２１Ｃ，２１Ｄの側壁部２１ｆを回り込んで、溝２５内に巻き込まれている。しかし、クッション材１３を、パネル基材１２の外周寸法よりも小さくして、表皮材１４のみを溝２５内に巻き込むようにしてもよい。
【００７９】
さらに、上記実施形態で示したような表皮構造は、パネル基材１２の両面に形成するとは限らず、パネル基材１２の一面側にのみ形成するようにしてもよい。
【００８０】
なお、上記実施形態では、クッション材１３および表皮材１４を備えるようにしたが、クッション材１３および表皮材１４は必須の構成ではない。
【００８１】
また、上記実施形態では、パネル体１１をソファ１００の背面側に沿って設けるようにしたが、これに限るものではない。パネル体１１は、ソファ１００以外にも、デスク、テーブル、カウンター、棚、チェア等の各種什器に組み合わせて設けてもよい。
さらに、パネル体１１に装着するオプション部材は、上記実施形態に例示したものに限らない。例えば、照明装置や、物品を載せるトレー、モニタ装置をはじめ、その他の様々な物品を、オプション部材として溝２５に直接、またはブラケットを用いて間接的に装着することが可能である。
これ以外にも、本発明の主旨を逸脱しない限り、上記実施の形態で挙げた構成を取捨選択したり、他の構成に適宜変更したりすることが可能である。
【符号の説明】
【００８２】
１１    パネル体
１１ｓ    外周端部
１２    パネル基材（基材）
１３    クッション材
１３ｅ，１４ｅ    外周端部
１４    表皮材
１５    芯材
１６    貫通孔
１７    凹部
１８    ベースシート
２０    フレーム
２１Ａ，２１Ｂ，２１Ｃ，２１Ｄ    枠材
２１ｅ    底部
２１ｆ    側壁部
２５    溝
３０    固定部材
３０Ｃ    コーナー部固定部材
３０Ｓ    直線部固定部材（嵌合部材）
３１    側部プレート部
３１ａ    先端部
３２    連結プレート部
３４    突条（凸部）
３５    保持溝
７０，７０Ｂ    係合突起
７１，７１Ｂ    貫通孔係合爪
７２，７２Ｂ    突出部
７３，７３Ｂ    被係合部
７５，７５Ｂ    貫通孔
８０    係合爪
８５    変形拘束部材
８５ｈ    雌ネジ（固定部）
１００    ソファ
１７１    什器上連結ブラケット
１８１    什器下連結ブラケット
【図１】
2015143438.tif 000003
【図２】
2015143438.tif 000004
【図３】
2015143438.tif 000005
【図４】
2015143438.tif 000006
【図５】
2015143438.tif 000007
【図６】
2015143438.tif 000008
【図７】
2015143438.tif 000009
【図８】
2015143438.tif 000010
【図９】
2015143438.tif 000011
【図１０】
2015143438.tif 000012
【図１１】
2015143438.tif 000013
【図１２】
2015143438.tif 000014
【図１３】
2015143438.tif 000015
【図１４】
2015143438.tif 000016